(57)【要約】      （修正有）【課題】多段階的に停止保持が可能であり、かつ、全開状態から閉じるときに、一旦停止をすることのできる開閉用ステー装置の提供。【解決手段】第１アーム１７の長手方向Ｘへ離間する複数の係止孔２４と、係止孔に脱可能に係止される係止部４９と、第２アーム１９内に支持される第１ロック要素３７と、第１ロック要素３７を保持するロック要素保持体３６と、第１ロック要素３７を常時付勢する板ばねと、第１アーム１７から第２アーム１９の凹溝３４内に延びる第１ストッパー２６とを含む第１ロック機構と、第２アームを旋回可能に支持する第２ロック要素４５と、第１アーム１７の第１側部１１の側から第２アーム１９の凹溝３４内に介在する第２ストッパー２８と、第１アーム１７の外周壁部２３に形成された第１係止溝孔と第２アーム１９の凹溝３４の底部に位置する第２係止溝孔とを含む第２ロック機構とを有する。【選択図】図２
2011169059.tif 000002
【特許請求の範囲】
【請求項１】
長手方向（Ｘ）と、挿入方向（Ａ）及び延出方向（Ｂ）と、第１側部（１１）及び第２側部（１２）と枢軸（１５）とを有する開閉用ステー装置（１０）であって、
第１端部（１３）及び第２端部（１４）と、外周壁部（２３）とを有し、横断面が管口形の第１アーム（１７）と、前記第１アームに前記長手方向へ摺動可能に挿入され、横断面がほぼＵ形であって第３端部（３０）及び第４端部（３３）と前記長手方向へ延びる凹溝（３４）とを有する第２アーム（１９）と、第１ロック機構（Ｌ１）と、第２ロック機構（Ｌ２）とを含んでおり、
前記１ロック機構は、前記第１アームの前記第１端部寄りの前記第１側部側において前記長手方向へ離間する複数の係止孔（２４）と、前記第２アームの前記第３端部の近傍において第１ピン（４０）を介して前記第２アームの前記凹溝内に旋回可能に支持され、前記係止孔に前記第１アームの前記外周壁部の前記第１端部側から前記第２端部側へ順次係脱可能に係止される係止部（４９）を有する第１ロック要素（３７）と、前記凹溝内に前記第１ロック要素と共に介在し前記第１ロック要素を旋回可能に保持するとともに前記第１ピンが挿通し前記第１ピンを介して前記第１ロック要素の前記長手方向への移動を可能にする前記長手方向へ延びるピン案内孔（３９）と、前記第１アームの前記外周壁部の前記第１側部側の内面と対向して位置するロック要素押さえ部（５２）とを有するロック要素保持体（３６）と、前記第１ロック要素の前記係止部を前記第１側部側に常時付勢する板ばね（４２）と、第１アームの前記複数の係止孔のうち前記第２端部側に位置する前記係止孔と該第４端部との間において前記外周壁部の前記第１側部側から前記第２アームの凹溝内に位置する第１ストッパーとを含んでおり、
前記第２ロック機構は、前記第２アームの前記凹溝内に介在し前記第２アームの前記第４端部の近傍において第２ピン４４を介して旋回可能に支持され、かつ、両端部にほぼＶ形の第１及び第２カム縁部（７０，７１）を有する第２ロック要素（４５）と、前記外周壁部の前記第１側部側から前記第１アーム内へ延びて前記第２アームの前記凹溝内に介在する第２ストッパー（２８）と、前記第１アームの前記外周壁部の前記第２端部の近傍に位置する第１係止溝孔（２９）と、前記第２ロック要素が対向する前記第２アームの前記第４端部（３３）側において前記凹溝の底部（３１）に形成された第２係止溝孔（３５）とを含んでおり、
前記ロック要素保持体の前記ロック要素押さえ部が前記第１ストッパーに衝突するまで前記第２アームが前記第１アームから前記延出方向へ引っ張られると、前記第２アームの前記延出方向への移動が停止され、そのとき、前記第１及び第２係止溝孔が少なくとも部分的に重なって連通するとともに、前記第２ロック要素の前記第２カム縁部が前記第２ストッパーに摺接することで前記第２ロック要素が第１方向へ旋回して前記第１カム縁部の一部が前記連通した第１及び第２係止溝孔内に位置し、かつ、前記第１ピンが前記ピン案内孔に沿って前記延出方向へ移動することによって前記第１ロック要素は前記ロック要素押え部の押さえにより前記係止部が前記第１アームの前記外周壁部の内面から離間した状態で保持され、
前記保持状態において、前記第２アームを前記挿入方向へわずかに押し戻すことによって、前記第２ストッパーの、前記第２ロック要素の前記第２カム縁部に対する前記係止が解除され、前記第２ロック要素が前記第１方向へ旋回して前記第１カム縁部が前記第１係止溝孔の開孔縁に係止されることによって前記第２アームの前記挿入方向への移動が一時的に停止され、
再び、前記第２アームを前記延出方向へ引っ張ると、前記第２ロック要素が前記第１方向へ旋回し、前記第２アームの側部が前記第２ストッパーに当接して第２ロック要素は直立したような状態となり、
さらに、前記ロック要素保持体が前記枢軸に衝突するまで前記挿入方向へ押し戻されると、前記第１ピンが前記ピン案内孔を前記挿入方向へ移動し、前記第１ロック要素が前記ロック要素押え部の押えから離脱して、前記係止部が前記板ばねの付勢によって前記外周壁部の前記第１側部側の内面に当接することを特徴とする前記開閉用ステー装置。
【請求項２】
前記ロック要素保持体は、前記ピン案内孔が形成された両側壁部（５０）と、前記第４端部側において前記両側壁部間をつなぐ端部（５１）とを有し、前記ロック要素押え部と前記端部との間に開口（５３）が形成されており、前記ロック要素押え部が前記第１ストッパーに当接した後に、前記第１ピンが前記案内孔内を前記延出方向へ摺動して前記第１ロック要素のうちの前記第４端部側に延びる挿止部（４８）が、前記開口に挿抜可能に挿入される請求項１に記載の開閉用ステー装置。
【発明の詳細な説明】
【技術分野】
【０００１】
本発明は、筐体の蓋や重機の窓などを開いた状態で停止保持する開閉用ステー装置に関するものであり、特に、多段階式に停止保持可能な開閉用ステー装置に関する。
【背景技術】
【０００２】
特許文献１に開示された従来の開閉用ステー装置は、キャビネットや壁等に固定される固定本体と、キャビネットの蓋や扉等に連結ピンを介して固定されるアームと、固定本体の長手方向に延びる案内溝において摺動可能に配置されたキーパーピンとを有する。
【先行技術文献】
【特許文献】
【０００３】
【特許文献１】特開２００２−６１４４３号公報
【発明の概要】
【発明が解決しようとする課題】
【０００４】
特許文献１に開示の開閉用ステー装置によれば、それをキャビネットの開閉装置として用いた場合には、キーパーピンの頭部をキャビネットの本体に固着した板ばねからなる第１凹陥支持部と第２凹陥支持部とに弾撥的に嵌合させることによって、２段階の開度で蓋を保持することができ、全開状態から一気に閉じることができる。
【０００５】
しかし、このステー装置では、その構成上、２段階の開度にのみ蓋を停止保持することが可能であって、それ以上の段階数において多段階的に停止保持することができない。また、比較的に重い蓋の場合には、想定されるよりも勢いよく一気に閉まることがあり、不用意に蓋に指を挟んでしまうおそれがある。
【０００６】
本発明は、従来の開閉用ステー装置の改良であって、多段階的に停止保持が可能であり、かつ、全開状態から蓋を閉じるときに、一旦停止をすることのできる
開閉用ステー装置を提供する。
【課題を解決するための手段】
【０００７】
前記課題を解決するために、本発明が対象とするのは、長手方向（Ｘ）と、挿入方向（Ａ）及び延出方向（Ｂ）と、第１側部（１１）及び第２側部（１２）と枢軸（１５）とを有する開閉用ステー装置（１０）である。
【０００８】
本発明の特徴とするところは、第１端部（１３）及び第２端部（１４）と、外周壁部（２３）とを有し、横断面が管口形の第１アーム（１７）と、前記第１アームに前記長手方向へ摺動可能に挿入され、横断面がほぼＵ形であって第３端部（３０）及び第４端部（３３）と前記長手方向へ延びる凹溝（３４）とを有する第２アーム（１９）と、第１ロック機構（Ｌ１）と、第２ロック機構（Ｌ２）とを含んでおり、前記１ロック機構は、前記第１アームの前記第１端部寄りの前記第１側部側において前記長手方向へ離間する複数の係止孔（２４）と、前記第２アームの前記第３端部の近傍において第１ピン（４０）を介して前記第２アームの前記凹溝内に旋回可能に支持され、前記係止孔に前記第１アームの前記外周壁部の前記第１端部側から前記第２端部側へ順次係脱可能に係止される係止部（４９）を有する第１ロック要素（３７）と、前記凹溝内に前記第１ロック要素と共に介在し前記第１ロック要素を旋回可能に保持するとともに前記第１ピンが挿通し前記第１ピンを介して前記第１ロック要素の前記長手方向への移動を可能にする前記長手方向へ延びるピン案内孔（３９）と、前記第１アームの前記外周壁部の前記第１側部側の内面と対向して位置するロック要素押さえ部（５２）とを有するロック要素保持体（３６）と、前記第１ロック要素の前記係止部を前記第１側部側に常時付勢する板ばね（４２）と、第１アームの前記複数の係止孔のうち前記第２端部側に位置する前記係止孔と該第４端部との間において前記外周壁部の前記第１側部側から前記第２アームの凹溝内に位置する第１ストッパーとを含んでおり、前記第２ロック機構は、前記第２アームの前記凹溝内に介在し前記第２アームの前記第４端部の近傍において第２ピン４４を介して旋回可能に支持され、かつ、両端部にほぼＶ形の第１及び第２カム縁部（７０，７１）を有する第２ロック要素（４５）と、  前記外周壁部の前記第１側部側から前記第１アーム内へ延びて前記第２アームの前記凹溝内に介在する第２ストッパー（２８）と、前記第１アームの前記外周壁部の前記第２端部の近傍に位置する第１係止溝孔（２９）と、前記第２ロック要素が対向する前記第２アームの前記第４端部（３３）側において前記凹溝の底部（３１）に形成された第２係止溝孔（３５）とを含んでおり、前記ロック要素保持体の前記ロック要素押さえ部が前記第１ストッパーに衝突するまで前記第２アームが前記第１アームから前記延出方向へ引っ張られると、前記第２アームの前記延出方向への移動が停止され、そのとき、前記第１及び第２係止溝孔が少なくとも部分的に重なって連通するとともに、前記第２ロック要素の前記第２カム縁部が前記第２ストッパーに摺接することで前記第２ロック要素が第１方向へ旋回して前記第１カム縁部の一部が前記連通した第１及び第２係止溝孔内に位置し、かつ、前記第１ピンが前記ピン案内孔に沿って前記延出方向へ移動することによって前記第１ロック要素は前記ロック要素押え部の押さえにより前記係止部が前記第１アームの前記外周壁部の内面から離間した状態で保持され、前記保持状態において、前記第２アームを前記挿入方向へわずかに押し戻すことによって、前記第２ストッパーの、前記第２ロック要素の前���第２カム縁部に対する前記係止が解除され、前記第２ロック要素が前記第１方向へ旋回して前記第１カム縁部が前記第１係止溝孔の開孔縁に係止されることによって前記第２アームの前記挿入方向への移動が一時的に停止され、再び、前記第２アームを前記延出方向へ引っ張ると、前記第２ロック要素が前記第１方向へ旋回し、前記第２アームの側部が前記第２ストッパーに当接して第２ロック要素は直立したような状態となり、さらに、前記ロック要素保持体が前記枢軸に衝突するまで前記挿入方向へ押し戻されると、前記第１ピンが前記ピン案内孔を前記挿入方向へ移動し、前記第１ロック要素が前記ロック要素押え部の押えから離脱して、前記係止部が前記板ばねの付勢によって前記外周壁部の前記第１側部側の内面に当接することにある。
【０００９】
本発明の他の実施の態様の一つとして、前記ロック要素保持体は、前記ピン案内孔が形成された両側壁部（５０）と、前記第４端部側において前記両側壁部間をつなぐ端部（５１）とを有し、前記ロック要素押え部と前記端部との間に開口（５３）が形成されており、前記ロック要素押え部が前記第１ストッパーに当接した後に、前記第１ピンが前記案内孔内を前記延出方向へ摺動して前記第１ロック要素のうちの前記第４端部側に延びる挿止部（４８）が、前記開口に挿抜可能に挿入される。
【発明の効果】
【００１０】
本発明では、開閉用ステー装置が第１及び第２ロック機構を備えることによって、比較的に簡易な構成で多段階的に第２アームを所要の位置で確実に停止保持することができるとともに、比較的に重い蓋に取り付けられた場合であっても、全開状態から瞬時に閉まることなく一旦停止するので、不用意に蓋に指が挟まるという事態を避けることができる。
【図面の簡単な説明】
【００１１】
【図１】開閉用ステー装置の使用態様を示す側面図。
【図２】開閉用ステー装置の斜視図。
【図３】開閉用ステー装置の分解斜視図。
【図４】（ａ）図２のＩＶ−ＩＶ線断面図。（ｂ），（ｃ）第１ロック要素の係止部が係止孔に係止された状態を示す図４（ａ）と同様の断面図。
【図５】（ａ）〜（ｃ）第２アームが第１アーム内を第２端部に向かって長手方向へ摺動する態様を示す図４（ａ）と同様の断面図。
【図６】（ａ），（ｂ）第２アームが第１アーム内を第１端部に向かって長手方向へ摺動する態様を示す図４（ａ）と同様の断面図。
【発明を実施するための形態】
【００１２】
図１は、開閉用ステー装置１０の使用態様を示す側面図、図２は、開閉用ステー装置１０の斜視図、図３は、開閉用ステー装置１０の分解斜視図である。図１では、説明の便宜上、キャビネット１６の蓋１６ｂが開いた状態を仮想線で示している。
【００１３】
開閉用ステー装置１０は、略直方体状であって、長手方向Ｘ及び短手方向Ｙと、第１側部１１及び第２側部１２と、第１端部１３及び第２端部１４を有し、枢軸１５を介してキャビネット１６の本体１６ａに連結される第１アーム１７と、第第１アーム１７に摺動可能に挿入され、枢軸１８を介してキャビネット１６の蓋１６ｂに連結される第２アーム１９とを含む。第１及び第２アーム１７，１９は、枢軸１５，１８を介して時計方向及び反時計方向に旋回可能であって、その旋回によってキャビネット１６の蓋１６ｂを開閉することができ、また、第２アーム１９は、所与の開度で蓋１６ｂを停止保持することができる。
【００１４】
第１アーム１７は、扁平な角管状に形成され、第１開口端２１及び第２開口端２２と、外周壁部２３とを有する。第１側部１１における外周壁部２３の部分には、長手方向Ｙに所与寸法離間する複数の係止孔２４（２４ａ，２４ｂ，２４ｃ，２４ｄ）が形成されている。外周壁部２３の第２端部１４側に偏倚した位置には、外周壁部２３の一部が切り離されて第１アーム１７の内部へ折曲された第１ストッパー２６と透孔２７とが形成されており、さらに透孔２７の第２端部１４ａ側には、外周壁部２３の内周面から第１アーム１７及び第２アーム１９の内部に延びる板状の第２ストッパー２８が固定されている。また、外周壁部２３の第２側部１２側には、長手方向Ｘに延びる第１係止溝孔２９が形成されている。
【００１５】
第２アーム１９は、断面Ｕ字状に形成され、第１アーム１７の内部において長手方向Ｘに摺動可能に挿入されており、第１アーム１７の第１端部１３側に位置する第３端部３０及び第２端部１４側に位置する第４端部３３と、底部３１と、底部３１の両側に沿う長手方向Ｘへ延びる両側壁部３２を有し、第３及び第４端部３０，３３及び第１側部１１と対向する側が開口し、両側壁部３２と底部３１によって長手方向Ｙに延びる凹溝３４が形成されている。底部３１には、長手方向Ｘへ延びる第２係止溝孔３５が形成されている。
【００１６】
＜第１ロック機構Ｌ１＞
ステー装置１０の第１端部１３側には、ロック要素保持体３６と、それに嵌入された第１ロック要素３７と、係止溝２４と、底部３１に固定され、第１ロック要素３７を常時第１側部１１の側へ付勢する板ばね４２と、第１ストッパー２６と、第１ロック要素３７をそのピン孔３８に挿通された第１ピン４０を介して第２アーム１９の両側壁部３２に支持するためのピン案内孔３９とから構成された第１ロック機構Ｌ１が形成されている。
【００１７】
第１ロック要素３７は、第２側部１２側へ凸曲した扁板状であって、第３端部３０側へ突出する突起部４６と、長手方向Ｘに延びる頂部４７と、頂部４７の一部であって第４端部３３側へ突出する挿止部４８とを有する。また、突起部４６と頂部４７との間には、係止端部４９を有する。
【００１８】
ロック要素保持体３６は、短手方向Ｙに対向離間する両側板部５０と、第４端部３３側において両側板部５０の一方が他方の側へ屈曲する端部５１と、両側板部５０の頂面に位置して第４端部３３側へ突出するロック要素押え部５２とを有する。ロック要素押え部５２と端部５１との間には、第１ロック要素３７の挿止部４８が挿抜可能に挿入される開口５３が画成されている。
【００１９】
板ばね４２は、第２アーム１９の底部３１に溶着された固定部６１と、固定部６１から第１側部１１側へ斜めに延びる傾斜部６２とを有する。傾斜部６２は、その先端が第２側部１２側に屈曲されており、第１ロック要素３７をその突起部４６に当接して第１側部１１側へ常時付勢している。
【００２０】
＜第２ロック機構Ｌ２＞
第２アーム１９の凹溝３４の第４端部３３側には、第２ロック要素４５と、第２ストッパー２８と、第２アーム１９の底部３１の第２係止溝孔３５と、第１アーム１７の外周壁部２３の第１係止溝孔２９とから構成された第２ロック機構Ｌ２が形成されている。
【００２１】
第２ロック要素４５は、ほぼＶ形の第１及び第２カム縁部７０，７１を有し、ピン孔７４に挿通されたピン４４を介して第２アーム１９に旋回可能に支持されている。第２ロック要素４５は、第２アーム１９の第２係止溝孔３５に対向して配置されており、長手方向Ｘ及び短手方向Ｙの長さ寸法は、第２係止溝孔３５のそれらの寸法よりもわずかに小さい。
【００２２】
図４（ａ）は、図２のＩＶ−ＩＶ線断面図、図４（ｂ），（ｃ）は、それぞれ、第１ロック要素３７が、係止孔２４ａ，２４ｄに係止された状態を示す図４（ａ）と同様の断面図、図５（ａ）〜（ｃ）は、第２アーム１９が第１アーム１７内を第２端部１４側へ向かって長手方向Ｘへ摺動する態様を示す図４（ａ）と同様の断面図、図６（ａ）及び（ｂ）は、第２アーム１９が第１アーム１７内を第１端部１３側へ向かって長手方向Ｙへ摺動する態様を示す図４（ａ）と同様の断面図である。なお、図４（ａ）では、第２アーム１９が第１アーム１７に挿入する方向を矢印Ａ、延出する方向を矢印Ｂで示している。
【００２３】
図４（ａ）に示すとおり、第２アーム１９の全体が第１アーム１７内に挿入されている状態（キャビネット１６の蓋１６ｂが閉じている状態）では、第１ロック要素３７の係止部４９は、板ばね４２によって第１側部１１の側へ付勢されて第１アーム１７の外周壁部２３の内周面に当接している。一方、第２ロック４５は横臥状態（第１及び第２カム縁部７０，７１が長手方向Ｙに向く状態）であってその一方側部が第２アーム２９の係止溝孔３５内に位置している。
【００２４】
キャビネット１６の蓋１６ｂをわずかに開いたとき、換言すると、第２アーム１９が延出方向Ｂへわずかに引っ張られたときには、第２アーム１９が第１アーム１７内を長手方向Ｙへ摺動し、第１ロック要素３７の係止部４９が、係止孔２４ａに係止するとともに第１側部１１の側から突出した状態となる。このとき、図４（ｂ）に示すとおり、突起部４６が外周壁部２３に当接しかつ係止部４９が係止孔２４ａの開孔縁に当接することによって、第２アーム１９の長手方向Ｘにおける移動が規制され、第２アーム１９は、その位置で停止保持される。
【００２５】
さらにキャビネット１６の蓋１６ａを開いたときには、第１ロック要素３７の頂部４７の一部が係止孔２４ａの開孔縁に当接していることによって、第１ロック要素３７の突起部４６の側の部位が、板ばね４２の付勢に抗して、第２側部１２の側へ向かって押し下げられ、係止部４９は係止孔２４ａから退出して係止が解かれる。第２アーム１９をさらに延出方向Ｂへ引っ張って摺動させることによって、係止部４９は、板ばね４２に付勢されながら係止孔２４ａの隣に位置する係止孔２４ｂに挿入して係止され、第２アーム１９はかかる位置で停止保持される。このように、長手方向Ｙに並ぶ複数の係止孔２４ａ，２４ｂ，２４ｃ，２４ｄごとに、順次同様の操作をすることによって、キャビネット１６の蓋１６ｂを所要の開度の位置で、複数段階的に停止保持することができる。
【００２６】
図４（ｃ）は、第１ロック要素３７の係止部４９が、第２端部１４の側に位置する係止孔２４ｄに係止された状態を示しており、図５（ａ）に示すとおり、かかる状態からさらに第２アーム１９を延出方向Ｂへ引っ張ると、ロック要素保持体３６のロック要素押え部５２の端部５２ａが第１アーム１７の第１ストッパー２６に当接してロック要素保持体３６の延出方向Ｂへの移動が規制されるとともに、第２ロック要素４５は第２カム縁部７１が第２ストッパー２８の角部に摺接することによって、反時計方向へ旋回して停止する。このとき、第２アーム１９の第２係止溝孔３５と第１アーム１７の第１係止溝孔２９とが連通した状態となり、第１カム縁部７０の側がこれらの内に位置し、第２ロック要素４５はわずかに傾倒した状態で停止保持される。第１ロック要素３７は、ロック要素保持体３６が第２ストッパー２８に当接した後に、ピン４０がピン案内孔３９内を延出方向Ｂへ摺動することによって、ロック要素保持体３６内において延出方向Ｂへ移動し、頂部４７がロック要素押え部５２に当接して第１アーム１７の外周壁部２３から離間して、挿止部４８がロック要素保持体３６の開口５３に挿入される。これにより、第１ロック要素３７は板ばね４２の付勢に抗して外周壁部２３から離間した状態で安定的に保持され、第１ロック機構は無機能となる。
【００２７】
図５（ｂ）に示すとおり、かかる状態からキャビネット１６の蓋１６ｂの自重又は蓋１６ｂを閉めようとする力によって、第２アーム１９を挿入方向Ａへ摺動させたときには、第２ロック要素４５の第２カム縁部７１が第２ストッパー２８から離間する。これとほぼ同時に、第２ロック要素４５は、第１カム縁部７０の股状部位が第１アーム１７の外周壁部２３の第１係止溝孔２９の開口縁２９ａに摺接することによって反時計方向にわずかに旋回して、第１カム縁部７０が開口端２９ａに当接した状態で保持され、第２アーム１９は停止する。
【００２８】
かかる状態から、再び、蓋１６ｂを開く方向に旋回させたとき、換言すると、第２アーム１９を延出方向Ｂへ引っ張ることによって蓋１６ｂを全開状態にしたときには、図５（ｃ）に示すとおり、第２ロック要素４５の第１カム縁部７０が第１係止溝孔２９の開口端２９ａから外れて、第２ロック要素４５は直立したような状態となり、その側部が第２ストッパー２８に当接する。図６（ａ）に示すとおり、その後、再び蓋１６ｂを閉じる方向に旋回したとき、換言すると、第２アーム１９が挿入方向Ａへ押し入れられたときには、第２ロック要素４５の第１カム縁部７０が、第１アーム１７の係止溝孔２９の開口端２９ａに当接することによって、第２ロック要素４５は横倒して反時計方向に旋回する。
【００２９】
図６（ｂ）に示すとおり、第２ロック要素４５が反時計方向へ旋回して横臥した状態となるとともに、蓋１６ｂが完全に閉じたときには、ロック要素保持体３６が枢軸１５に衝突して、ロックされた状態となり、第２アーム１９は全閉状態の原状に復帰する。
【００３０】
本発明によれば、第１ロック機構Ｌ１によって、第２アーム１９を第１アーム１７の長手方向Ｘにおける所要の部位でロック可能なので、キャビネット１６の蓋１６ｂを複数の開度の位置で多段階的に停止保持することができる。また、第１ロック機構Ｌ１が無機能化された後に、第２ロック機構Ｌ２が機能することによって、蓋１６ｂを閉じるときには、その自重などにより瞬時に閉じてしまうことはなく、一旦停止するので、比較的に重い蓋１６に不用意に指が挟まれるような事態を回避することができる。さらに、一旦停止後には、第１ロック機構Ｌ１が無機能化されているので、各段階ごとに停止することはなく、スムーズに蓋を閉じることができる。なお、本実施形態では、第１アーム１７には４つの係止孔２４ａ，２４ｂ，２４ｃ，２４ｄが形成されているが、それ以下又はそれ以上の複数の係止孔が形成されていてもよい。
【符号の説明】
【００３１】
１０    開閉用ステー装置
１１    第１側部
１２    第２側部
１３    第１端部
１４    第２端部
１５    枢軸
１７    第１アーム
１９    第２アーム
２３    第１アームの外周壁部
２４    係止孔
２６    第１ストッパー
２８    第２ストッパー
２９    第１係止溝孔
３０    第３端部
３１    底部
３３    第４端部
３４    凹溝
３５    第２係止溝孔
３６    ロック要素保持体
３７    第１ロック要素
３９    ピン案内孔
４０    第１ピン
４２    板ばね
４４    第２ピン
４５    第２ロック要素
４８    挿止部
４９    係止部
５０    ロック要素保持体の両側壁部
５１    ロック要素保持体の端部
５３    開口
７０    第１カム縁部
７１    第２カム縁部
Ａ      挿入方向
Ｂ      延出方向
Ｌ１    第１ロック機構
Ｌ２    第２ロック機構
Ｘ      長手方向
【図１】
2011169059.tif 000003
【図２】
2011169059.tif 000004
【図３】
2011169059.tif 000005
【図４】
2011169059.tif 000006
【図５】
2011169059.tif 000007
【図６】
2011169059.tif 000008